(57)【要約】【課題】吐水管カバーと水栓本体の外筒との間で隙間が生じにくく組立も簡単な水栓及びその製造方法コを提供する。【解決手段】第１の方向に延在する外筒と、前記外筒の外周面に端部が当接し前記第１の方向とは異なる第２の方向に延在する吐水管カバーと、前記外筒の中に設けられた通水部と、一端が前記通水部に対して前記第１の方向と略平行な方向に圧接固定され、他端が前記吐水管カバーの中に挿入され前記吐水管カバーを貫通するネジにより前記吐水管カバーと締結されたエルボーと、を備えたことを特徴とする水栓を提供する。【選択図】図１
2008089011.tif 000002
【特許請求の範囲】
【請求項１】
第１の方向に延在する外筒と、
前記外筒の外周面に端部が当接し前記第１の方向とは異なる第２の方向に延在する吐水管カバーと、
前記外筒の中に設けられた通水部と、
一端が前記通水部に対して前記第１の方向と略平行な方向に圧接固定され、他端が前記吐水管カバーの中に挿入され前記吐水管カバーを貫通するネジにより前記吐水管カバーと締結されたエルボーと、
を備えたことを特徴とする水栓。
【請求項２】
前記第１の方向と前記第２の方向とは、略直交することを特徴とする請求項１記載の水栓。
【請求項３】
前記ネジは、前記吐水管カバーの下方から貫通することを特徴とする請求項１または２に記載の水栓。
【請求項４】
前記エルボーは、前記通水部に対して、複数のネジにより前記圧接固定されてなることを特徴とする請求項１〜３のいずれか１つに記載の水栓。
【請求項５】
前記通水部を流れる水の通水路を開閉する電磁弁と、
前記吐水管カバーの中に設けられ使用者を検知するセンサと、
を備え、
前記センサの出力に基づいて前記電磁弁を制御可能としたことを特徴とする請求項１〜４のいずれか１つに記載の水栓。
【請求項６】
前記センサからの出力に基づいて前記電磁弁を制御する制御部が付設され、前記外筒の上に着脱可能に設けられた収容部をさらに備えたことを特徴とする請求項５記載の水栓。
【請求項７】
通水部にその周囲を取り囲む外筒をはめ込む工程と、
前記外筒の外周面に設けられた開口からエルボーの一端を挿入し、前記エルボーの一端を前記外筒の開放端からネジで前記通水部に締結する工程と、
前記エルボーの他端からその周囲を取り囲む吐水管カバーをはめ込み、前記吐水管カバーの先端を前記外筒の外周面に当接させる工程と、
前記吐水管カバーを貫通する孔を介して前記吐水管カバーを前記エルボーに締結する工程と、
を備えたことを特徴とする水栓の製造方法。
【請求項８】
前記外筒は、第１の方向に延在し、
前記外筒の前記外周面に当接した前記吐水管カバーは、前記第１の方向と略直交する方向に延在することを特徴とする請求項７記載の水栓の製造方法。
【請求項９】
前記エルボーの前記一端を前記通水部に対して複数のネジで締結することを特徴とする請求項７または８に記載の水栓の製造方法。
【発明の詳細な説明】
【技術分野】
【０００１】
本発明は、洗面台などに設けられる水栓及びその製造方法に関する。
【背景技術】
【０００２】
水栓は、手洗いなどに用いる水の供給を制御するという基本的な役割のみならず、常に清潔性を維持でき、また見た目のすっきり感などが望まれる点で、構造上の観点から技術的な改良が必要とされている。
【０００３】
このような要求に応える水栓として、例えば、洗面台に固定され略鉛直方向に延びた水栓本体と、この水栓本体から前方に突設した吐水管と、を有する水栓が開示されている（特許文献１）。この水栓の場合、水栓本体の内部に設けられる吐水管取付ヘッドに対して、突設部に内蔵される吐水管が螺合して固定される。そして、吐水管を覆う吐水管カバーは、吐水管の先端に設けられたカバー係合鍔部と、水栓本体の外管と、の間で挟圧支持されるようになっている。
【０００４】
ただし、この構造の場合、吐水管の螺合による移動方向と吐水管カバーの挟圧方向とが同方向であるため、吐水管の螺合が十分でない場合や、螺合が緩んだ場合、吐水管カバーと外筒との間に隙間が生じやすい点で改良の余地があった。
【特許文献１】特開平７−２６９７６３号公報
【発明の開示】
【発明が解決しようとする課題】
【０００５】
本発明は、吐水管カバーと水栓本体の外筒との間で隙間が生じにくく組立も簡単な水栓及びその製造方法を提供する。
【課題を解決するための手段】
【０００６】
本発明の一態様によれば、第１の方向に延在する外筒と、前記外筒の外周面に端部が当接し前記第１の方向とは異なる第２の方向に延在する吐水管カバーと、前記外筒の中に設けられた通水部と、一端が前記通水部に対して前記第１の方向と略平行な方向に圧接固定され、他端が前記吐水管カバーの中に挿入され前記吐水管カバーを貫通するネジにより前記吐水管カバーと締結されたエルボーと、を備えたことを特徴とする水栓が提供される。
【０００７】
また、本発明の他の一態様によれば、通水部にその周囲を取り囲む外筒をはめ込む工程と、前記外筒の外周面に設けられた開口からエルボーの一端を挿入し、前記エルボーの一端を前記外筒の開放端からネジで前記通水部に締結する工程と、前記エルボーの他端からその周囲を取り囲む吐水管カバーをはめ込み、前記吐水管カバーの先端を前記外筒の外周面に当接させる工程と、前記吐水管カバーを貫通する孔を介して前記吐水管カバーを前記エルボーに締結する工程と、を備えたことを特徴とする水栓の製造方法が提供される。
【発明の効果】
【０００８】
本発明によれば、吐水管カバーと水栓本体の外筒との間で隙間が生じにくく組立も簡単な水栓及びその製造方法が提供される。
【発明を実施するための最良の形態】
【０００９】
以下、図面を参照しつつ本発明の実施形態について説明する。なお、各図面において、同様の構成要素には同一の符号を付している。  
図１は、本発明の実施の形態に係る水栓の外観及び取付例を表す模式図である。
【００１０】
図１に表した具体例は、本発明を自動水栓に適用したものである。すなわち、この自動水栓３は、例えば洗面台などの基部２などに取り付けられる。自動水栓３は、配管４を介して、水道水等の流入口５に接続されている。そして、この自動水栓３は、略円筒状の立設部３ａと、この立設部３ａから径外方向に延出して設けられた略円筒状の吐水部３ｂと、を有する。
そして、流入口５から流入し配管４を流れてきた水を、吐水部３ｂの先端付近に設けられた吐水口から吐水する。
【００１１】
図２は、本実施形態に係る自動水栓の内部構造を表す模式図である。すなわち、同図（ａ）は、自動水栓の縦断面図であり、同図（ｂ）はそのＡ−Ａ線断面図であり、同図（ｃ）はその先端付近の斜め下方向からみた矢視図である。  
また、図３は、この自動水栓のＢ−Ｂ線断面図である。  
また、図４は、この自動水栓のＣ−Ｃ線断面図である。
【００１２】
洗面台などの基部２の下方に接続された配管４を介して外部から供給される水は、鋳物などで作られた通水部１０に流入し、ここに内蔵されたフィルタ１９（図３）、電磁弁８を流れ、エルボー２０を介して吐水部３ｂに至る。吐水部３ｂにおいては、定流量弁５５から発電機１１を介して吐水口６に至る。電磁弁８は、給水流路を開閉し、定流量弁５５は、吐水量を一定に制限する役割を有する。
【００１３】
なお、吐水口６には、泡沫キャップ６６が設けられている。吐水口６は、吐水部３ｂに設けられた開口３０に臨み、その上方にはセンサ７が設けられている。吐水口６から吐水される水の吐水方向とセンサ７の指向方向とをほぼ同一とすることで検知特性が向上し、使い勝手がよくなる。また、センサ７を開口３０の開口端よりもやや内側に引っ込んだ位置に配置することにより、センサ７に対する外乱をおさえることができる。すなわち、外部からの光の入射などを抑制し、誤動作を防止できる。
【００１４】
また、立設部３ａの背面側の下方には、排水レバー７０が設けられ、その上下動作が、リンク７２に設けられたレバー７４に伝達される。リンク７２には、図示しない「ワイヤー式」の伝達機構が結合される。「ワイヤー式」の伝達機構の先端には洗面台のボウルの排水弁が接続され、自動水栓３の排水レバー７０の上下動作によりボウルの排水弁を開閉できる。
【００１５】
定流量弁５５より下流側の吐水部３ｂの内部には、水栓用発電機（以下、単に「発電機」とも称する）１１が内蔵されている。立設部３ａの上部には、２次電池５６及び制御部５７が設けられた収容部３ｃが設けられている。また、制御部５７には防水コネクタ５０が設けられ、センサ７や電磁弁８などとの電気接続の防水性を維持しつつ電気配線の着脱が可能とされている。
【００１６】
以上のように構成された自動水栓３において、使用者が吐水口６の下に手をかざすと、これをセンサ７が感知して、制御部５７が電磁弁８を開にする。これにより、発電機１１に流水が供給され、発電機１１において電力が発電されるとともに、発電機１１の内部を流れた水は吐水口６から吐水される。発電された電力は、２次電池５６へと充電された後、例えば、電磁弁８、センサ７、制御部５７の駆動に使用される。そして、使用者が吐水口６の下から手を遠ざけると、電磁弁８が閉となり、自動で水が止まる。
【００１７】
そして、本実施形態においては、立設部３ａには、通水部１０や電磁弁８を収容する円筒状の外筒１２０が設けられ、一方、吐水部３ｂには、定流量弁５５、発電機１１、センサ７などを収容する円筒状の吐水管カバー１３０が設けられている。
【００１８】
外筒１２０は、基部２に取り付けられた通水部１０を受け入れることにより、その位置が決められる。そして、通水部１０にエルボー２０をネジ２２により固定し、このエルボー２０に対して吐水管カバー１３０をネジ１３８で固定することにより、外筒１２０と吐水管カバー１３０とが当接した状態で固定される。
【００１９】
この時、エルボー２０を通水部１０に対してネジ２２により固定する際の圧接力は、図２及び図３において下方に作用する。また、エルボー２０に対して吐水管カバー１３０をネジ１３８により固定する際の圧接力は、図２及び図３において上方に作用する。
【００２０】
これに対して、外筒１２０と吐水管カバー１３０との当接状態は、図２及び図３において左右方向の力に依存する。つまり、本実施形態によれば、例えばネジ２２が緩んで通水部１０に対するエルボー２０の締結力が低下したり、あるいはネジ１３８が緩んでエルボー２０に対する吐水管カバー１３０の締結力（ネジ１３８）が低下したような場合でも、外筒１２０と吐水管カバー１３０との間に隙間が生じにくくなる。その結果として、見栄えが悪くなることもなく、また、隙間にゴミや汚れが溜まって衛生感を損なうこともない。
【００２１】
以下、本実施形態の水栓の組立方法を参照しつつ、その構造についてさらに詳細に説明する。  
図５〜図１１は、本実施形態の水栓の組立方法を表す工程図である。  
まず、図５に表したように、鋳物などからなる通水部１０に、電磁弁８や排水弁を駆動させるためのリンク７２などを固定する。  
次に、図６に表したように、円筒状の外筒１２０を上側から挿入する。通水部１０の下方には、外周方向に延出した鍔部１０Ａが設けられている。外筒１２０の下端が鍔部１０Ａに当接することにより、外筒１２０の上下方向の位置が決定される。なお、外筒１２０には、吐水部３ｂに向けて開放された開口１２２が設けられている。  
次に、図７に表したように、エルボー２０を通水部１０にネジ２２によって固定する。この際には、エルボー２０の取付部を外筒１２０の開口１２２から挿入し、ネジ止めする。図４に表したように、ネジ２２は通水流路を取り囲む３箇所に設けられ、通水部１０とエルボー２０との接合部に略均一な圧接力を作用させることができる。なおこの工程においては、外筒１２０の上方は開放しているので、ネジ２２を上方から挿入しドライバーで締め付ける作業を円滑に実施できる。
【００２２】
次に、図８に表したように、エルボー２０の先端に、定流量弁５５、発電機１１、吐水継ぎ手１６、センサ７をこの順にはめ込む。これら各要素同士の接合部には、Ｏ（オー）リングＣが適宜設けられ、液密が維持される。
【００２３】
しかる後に、図９に表したように、円筒状の吐水管カバー１３０を吐水継ぎ手１６の先端側から挿入し、その端部を外筒１２０の外周面に当接させた状態で、ネジ１３８によりエルボー２０に対して固定する。また、吐水管カバー１３０の下方に設けられた貫通孔にストッパ２０２を挿入し、吐水継ぎ手１６に嵌合させることにより、固定する。つまり、この状態においては、エルボー２０はネジ２２により通水部１０に固定され、吐水管カバー１３０はネジ１３８によりエルボー２０に固定され、定流量弁５５、発電機１１及び吐水継ぎ手１６は、ストッパ２０２により吐水管カバー１３０に対して固定されている。そして、前述したように、ネジ２２とネジ１３８の締め付け方向と、吐水管カバー１３０と外筒１２０との圧接方向と、は直交関係にあるので、ネジ２２やネジ１３８が緩んでも、外筒１２０と吐水管カバー１３０との間に隙間が生じにくくなる。
【００２４】
また同様に、ネジ２２やネジ１３８が緩んでも、ストッパ２０２の左右方向（例えば、図８において）のズレは生じにくいので、ストッパ２０２により押さえられている定流量弁５５、発電機１１、吐水継ぎ手１６がエルボー２０に対して、あるいは互いに緩むことも生じにくくなる。
【００２５】
なお、吐水継ぎ手１６やセンサ７などの部材の径方向の突出量は、吐水管カバー１３０の内径の範囲内とされているので、吐水管カバー１３０を挿入する際にも、これらの部材に邪魔させることなく、円滑に外筒１２０までスライドさせることができる。  
また、円筒状の吐水管カバー１３０の先端には、予めＯリング１３４を介して蓋部１３２が取り付けられている。
【００２６】
次に、図１０に表したように、吐水管カバー１３０の開口３０から、吐水継ぎ手１６の先端に泡沫キャップ６６をはめ込む。
【００２７】
最後に、図１１に表したように、収容部３ｃを外筒１２０にはめ込むことにより、自動水栓３が完成する。なおこの際には、まず、センサ７及び電磁弁８から引き出された配線の先端を収容部３ｃに設けられた制御部５７の防水コネクタ５０と接続する。しかる後に、収容部３ｃを外筒１２０にはめ込む。外筒１２０と収容部３ｃとの接合部には、Ｏリング３２０が設けられ、液密が確保される。
【００２８】
図１２は、収容部３ｃの斜視図である。  
また、図１３は、収容部３ｃの組立図である。なお、図１２及び図１３においては、便宜上、防水手段６０は省略した。
【００２９】
収容部３ｃは、中空リング状の枠部３０２と、枠部３０２に挿入される筺状の周側壁３０４と、を有する。周側壁３０４の内部底面には、ストッパ３０６が立設されている。一方、制御部５７は、基板５８と、その上に設けられた防水コネクタ５０、２次電池５６及びその他の電気部品５９を有する。電気部品５９は、例えば、ＩＣチップやコンデンサ、抵抗などである。
【００３０】
基板５８は、周側壁３０４の中に挿入可能な形状及びサイズを有し、その両端には切り欠き５８Ａが設けられている。これら切り欠き５８Ａは、周側壁３０４に設けられたストッパ３０６と係合して、制御部５７を保持可能としている。
【００３１】
本具体例においては、筺状の周側壁３０４の中に制御部５７を収容することにより、樹脂などを用いたポッティングが容易となる。すなわち、周側壁３０４が、制御部５７を収容するポッティングケースとしての役割を果たし、制御部５７を収容して樹脂を滴下することで、確実且つ容易に防水構造を実現できる。
【００３２】
また、防水手段６０として、ポッティングの代わりに、防水カバーやワニス処理を採用する場合にも、周側壁３０４を設けることにより確実且つ容易に防水構造を実現できる。例えば、樹脂などの防水カバーを制御部５７の上に設ける場合には、２次電池５６の全体も覆い、周側壁３０４の内周壁に向けて圧接するようなカップ状の防水カバーを被せることにより、防水カバーの周囲から制御部５７への液体の侵入を抑止できる。また、ワニス処理を施す場合にも、周側壁３０４の内部に防水剤を塗布すればよく、確実且つ容易に防水構造を実現できる。
【００３３】
図１４は、収容部３ｃの他の具体例を表す斜視図である。  
また、図１５は、図１４の収容部３ｃの組立図である。
【００３４】
本具体例においては、収容部３ｃにスイッチが設けられている。すなわち、周側壁３０４の底面３０４Ａには、凹設部３０４Ｂが設けられ、ここに、スプリングを有するスイッチエレメント３１０が収容される。そして、その上を被覆カバー３０８にて覆う。被覆カバー３０８は、周側壁３０４の底面３０４Ａに接着剤により貼り付けられ固定される。被覆カバー３０８が貼り付けられた状態で液密が維持され、スイッチエレメント３１０が収容された空間への液体の侵入を防ぐことができる。そして、被覆カバー３０８の中央付近を押すことにより、スイッチエレメント３１０を凹設部３０４Ｂの中で下方に移動させることができる。  
一方、制御部５７の基板５８の裏面側には、接点素子５４が設けられ、スイッチエレメント３１０が下方に移動すると、接点素子５４が導通する。
【００３５】
このようにして形成されたスイッチは、例えば、スイッチを押すと電磁弁８が開いて吐水が開始され、もう一度スイッチを押すと電磁弁８が閉じて吐水が停止し待機状態になる。待機状態においては、センサ７の出力に応じて吐水を制御する自動開閉動作が実行される。
【００３６】
本具体例によれば、このようなスイッチ構造を制御部５７と一体的に収容部３ｃに設けることができ、コンパクトな自動水栓を実現できる。しかも、これら電気要素に対する被水を抑制するとともに、確実な防水処理を施すことができる。
【００３７】
そして、図１２〜図１５に関して前述したいずれの具体例の収容部３ｃも、外筒１２０と吐水管カバー１３０とを組み付けた後に、上方から外筒１２０にはめ込むことにより、自動水栓３を完成させることができる。つまり、組立性がよく、かつ見栄えもよい水栓を提供できる。
【００３８】
また、本具体例によれば、２次電池５６や制御部５７を立設部３ａの上部に設けた収容部３ｃに収容することにより、これらの電気部品に水がかかることを抑止できる。例えば、立設部３ａの内部に水が侵入した場合、立設部３ａに設けられた水抜き孔（図示せず）から排出されるが、水量によっては立設部３ａの内部の水位が上昇する場合もあり得る。このように立設部３ａの内部で水位が上昇したような場合でも、開口３０に至るとそこから排出される。従って、この観点からは、２次電池５６や制御部５７が開口３０の最下端よりも鉛直上方にあるようにすればよい。
【００３９】
また、２次電池５６や制御部５７を立設部３ａの上部に設けた収容部３ｃに収容することにより、開口３０から遠ざけることができる。その結果として、開口３０から飛び込んだ水が制御部５７などに達することを抑制できる。特に、本実施形態のように、立設部３ａに対して吐水部３ｂが分岐して設けられているような場合、収容部３ｃを立設部３ａの上部に設けると、吐水部３ｂの先端付近に設けられた開口３０からみて制御部５７は屈曲した経路の先にあるため、開口３０から飛び込んだ水が制御部５７にかかりにくくなる。
【００４０】
またさらに、本具体例によれば、防水手段６０を設けることにより、２次電池５６や制御部５７に向けて水がかかったような場合でもこれらを保護することができる。すなわち、ただ単に制御部５７などを立設部３ａの上方に配置しただけでは、水が飛散した場合や内部の水位が異常に上昇した場合など、制御部５７が被水してしまう。これに対して、本実施形態によれば、制御部５７を保護する防水手段６０を設けることにより、確実且つ容易に防水構造を実現できる。  
なお、収容部３ｃに制御部５７などを設けた場合、収容部３ｃの内壁面をポッティングケースあるいは防水カバーの取付壁として用いることができる。  
これに対して、例えば制御部５７を立設部３ａに内蔵する場合には、基板状の制御部５７をポッティングケースに収容し樹脂などによるポッティング処理を施す必要がある。しかし、このようにポッティングケースに収容した制御部５７を収容するためには大きな空間が必要となり、立設部３ａが大型化して見栄えが悪くなる。  
これに対して、本実施形態によれば、防水手段６０を設けるための余剰な構造やスペースが不要となり、自動水栓のサイズの大型化を防ぐことができる。
【００４１】
そしてさらに、２次電池５６や制御部５７を設けた収容部３ｃを立設部３ａから着脱可能とすれば、これら電気部品の点検保守や修理、交換などが可能となる。またここで、センサ７や電磁弁８などからひきだされた電気配線の２次電池５６や制御部５７への接続部に防水コネクタ５０を設けると、これら電気配線の接続部における防水性も確保しつつ、電気配線も着脱可能とすることができ、点検保守や修理、交換をより円滑に実施することができる。
【００４２】
なお、図１〜図１５に表した実施形態の場合、収容部３ｃには、２次電池５６と制御部５７とが設けられているが、本発明はこれに限定されず、例えば制御部５７のみを収容部３ｃに設けてもよい。この場合、２次電池５６は、収容部３ｃよりも下方の立設部３ａまたは吐水部３ｂの中に設けられることとなるが、防水処理を適宜施すことにより、水の侵入によるショートなどを防止できる。そして、２次電池５６のサイズが大きい場合などには、このように立設部３ａなどに２次電池５６を収容することにより、収容部３ｃのサイズを小さくでき、自動水栓３のデザインに影響を与えることなく、サイズをコンパクトに維持でき、自動水栓の限られた内部スペースを有効に活用できる。
【００４３】
また、図１〜図１５に表した実施形態の場合、発電機１１が設けられているが、本発明はこれには限定されない。すなわち、発電機１１を設けず、１次電池を内蔵して制御部５７、センサ７、電磁弁８などを動作させる自動水栓であってもよい。この場合、２次電池５６の代わりに１次電池を収容部３ｃに収容することができる。ただしその時には、電池の交換を容易にするために、防水手段６０を着脱可能な防水カバーなどとすることが望ましい。また、１次電池を収容部３ｃには設けず、立設部３ａなどに内蔵させてもよい。この場合も、防水コネクタなどを用いて防水処理を施せば、水に濡れた時のショートなどを防止でき、且つ交換も容易となる。そして、この場合にも、制御部５７を収容部３ｃに設けることにより、制御部５７の被水を回避し、且つ点検保守や修理、交換などの作業も可能となる。
【００４４】
またさらに、本発明は自動水栓には限定されず、手動により通水流路を開閉する水栓にも同様に適用して同様の作用効果を得ることができる。すなわち、これらいずれの場合も、外筒１２０と吐水管カバー１３０とが緩みにくく、且つ組立も容易な水栓を提供できる。
【００４５】
以上、具体例を参照しつつ本発明の実施の形態について説明した。  
しかし、本発明はこれらの具体例には限定されない。例えば、外筒と吐水管カバーとは必ずしも直交している必要はなく、斜めに当接している場合も、本発明を適用して同様の作用効果を得ることができる。  
また、本発明の水栓を構成する通水部とエルボーの形状や構造、あるいは、これらの接合方法などについては、各種の変型を与えたものも本発明の要旨を含む限り本発明の範囲に包含される。同様に、エルボーと吐水管カバーとの結合方法について、各種の変型を与えたものも本発明の要旨を含む限り本発明の範囲に包含される。
【００４６】
また、制御部、電磁弁、定流量弁、発電機、吐水口、センサ、制御部、１次電池、２次電池、及び立設部や収容部の形状、構造、材質、サイズなどについて、当業者が適宜変更を加えたものであっても、本発明の要旨を有する限りにおいて、本発明の範囲に包含される。
【図面の簡単な説明】
【００４７】
【図１】本発明の実施の形態に係る水栓の外観及び取付例を表す模式図である。
【図２】本実施形態に係る自動水栓の内部構造を表す模式図である。
【図３】図２の自動水栓のＢ−Ｂ線断面図である。
【図４】図２の自動水栓のＣ−Ｃ線断面図である。
【図５】本実施形態の水栓の組立方法を表す工程図である。
【図６】本実施形態の水栓の組立方法を表す工程図である。
【図７】本実施形態の水栓の組立方法を表す工程図である。
【図８】本実施形態の水栓の組立方法を表す工程図である。
【図９】本実施形態の水栓の組立方法を表す工程図である。
【図１０】本実施形態の水栓の組立方法を表す工程図である。
【図１１】本実施形態の水栓の組立方法を表す工程図である。
【図１２】収容部３ｃの斜視図である。
【図１３】収容部３ｃの組立図である。
【図１４】収容部３ｃの他の具体例を表す斜視図である。
【図１５】図１４の収容部３ｃの組立図である。
【符号の説明】
【００４８】
３ 水栓、  ３ａ 立設部、  ３ｂ 吐水部、  ３ｃ 収容部、  ４ 配管、  ５ 流入口、  ６ 吐水口、  ７ センサ、  ８ 電磁弁、 １０ 通水部、 １０Ａ 鍔部、 １１ 水栓用発電機、 １６ 吐水継ぎ手、 １９ フィルタ、 ２０ エルボー、 ２２ ネジ、 ３０ 開口、 ５０ 防水コネクタ、 ５４ 接点素子、 ５５ 定流量弁、 ５６ １次電池、 ５７ 制御部、 ５８ 基板、 ５８Ａ 切り欠き、 ５９ 電気部品、 ６０ 防水手段、 ６６ 泡沫キャップ、 ７０ 排水レバー、 ７２ リンク、 ７４ レバー、１２０ 外筒、１２２ 開口、１３０ 吐水管カバー、１３２ 蓋部、１３４ リング、１３８ ネジ、２０２ ストッパ、３０２ 枠部、３０４ 周側壁、３０４Ａ 底面、３０４Ｂ 凹設部、３０６ ストッパ、３０８ 被覆カバー、３１０ スイッチエレメント、３２０ リング
【図１】
2008089011.tif 000003
【図２】
2008089011.tif 000004
【図３】
2008089011.tif 000005
【図４】
2008089011.tif 000006
【図５】
2008089011.tif 000007
【図６】
2008089011.tif 000008
【図７】
2008089011.tif 000009
【図８】
2008089011.tif 000010
【図９】
2008089011.tif 000011
【図１０】
2008089011.tif 000012
【図１１】
2008089011.tif 000013
【図１２】
2008089011.tif 000014
【図１３】
2008089011.tif 000015
【図１４】
2008089011.tif 000016
【図１５】
2008089011.tif 000017